(57)【要約】【課題】間欠画像を実時間画像に変換して記録する。【解決手段】動画像の画像信号ＤＶi（図４の（Ｂ））と動画像のフレームが有効フレームであるか無効フレームであるかを示すフレーム識別情報ＪＡ（図４の（Ａ））を用いて動画像の記録を行うとき、フレーム識別情報ＪＡによって有効フレームであることが示された画像を、一時保管メモリに記憶させる（図４の（Ｃ））。また、有効フレームであることが示された画像の記録信号ＷＳb（図４の（Ｄ））を記録媒体に記録する（図４の（Ｅ））。フレーム識別情報ＪＡによって無効フレームであることが示された画像を記録するときは、一時保管メモリに記憶されている有効フレームの画像の記録信号ＷＳbを記録媒体に記録する。間欠画像を実時間画像に変換して記録媒体に記録できる。【選択図】        図４
2008193208.tif 000002
【特許請求の範囲】
【請求項１】
動画像と該動画像のフレームが有効フレームであるか無効フレームであるかを示すフレーム識別情報が供給されて該動画像を記録媒体に記録する画像記録装置において、
画像を記憶する一時保管メモリと、
前記一時保管メモリを制御するメモリ制御部を有し、
前記メモリ制御部は、前記フレーム識別情報によって有効フレームであることが示された画像を前記一時保管メモリに記憶させるとともに、該画像を前記記録媒体に記録するものとし、前記フレーム識別情報によって無効フレームであることが示された画像を記録するときには、前記一時保管メモリに記憶された有効フレームの画像を読み出して記録させる
ことを特徴とする画像記録装置。
【請求項２】
前記動画像の画像信号から記録媒体に記録する記録信号を生成する記録信号生成部を有し、
前記一時保管メモリには、前記記録信号生成部で生成された記録信号を記憶する
ことを特徴とする請求項１記載の画像記録装置。
【請求項３】
動画像のフレームが有効フレームであるか無効フレームであるかを示すフレーム識別情報を利用して前記動画像を記録媒体に記録する画像記録方法において、
前記フレーム識別情報によって有効フレームであることが示された画像を一時保管するとともに、該画像を前記記録媒体に記録するステップと、
前記フレーム識別情報によって無効フレームであることが示された画像を記録するときは、前記一時保管メモリに記憶されている有効フレームの画像を記録するステップとを有する
ことを特徴とする画像記録方法。
【発明の詳細な説明】
【技術分野】
【０００１】
この発明は、画像記録装置と画像記録方法に関する。詳しくは、フレーム識別情報によって有効フレームであることが示された画像を一時保管して、記録する画像が無効フレームの画像であるとき、一時保管されている有効フレームの画像を記録することで、記録する動画像が間欠画像であるとき、この間欠画像を実時間画像に変換して記録するものである。
【背景技術】
【０００２】
従来、映画制作やテレビジョン番組制作等では、動画像の記録を行うとき、特殊効果を得るために、特許文献１の発明のように間欠画像を記録することが行われている。間欠画像を記録する場合、特許文献１に記載されているように、短時間の撮像をカメラブロックで間欠的に行い、得られた画像信号を半導体メモリへ一時的に記憶させる。また、半導体メモリへの画像信号の記憶回数が所定数に達したときには、半導体メモリから画像信号を読み出して磁気テープ等の記録媒体に記録することが行われている。また、特許文献２の発明では、半導体メモリに記憶された画像信号を読み出して画像表示を行うことで、間欠画像の撮像中であっても、撮像が完了した間欠画像を確認できるようになされている。
【０００３】
このような間欠画像の記録を行うものとすると、例えば図１２の（Ａ）に示すように、２フレーム期間間隔で間欠的に撮像を行うことにより得られた画像信号ＤＶaが順次記録媒体に記録される。したがって、記録媒体に記録された図１２の（Ｂ）に示す画像信号ＤＶbを再生すると、時間Ｔaで撮像された画像が時間Ｔbの期間で表示されることとなり、撮像対象物の動きが高速に表示される。例えば花の開花や雲の動き、砂丘の変化等のように、ごく緩慢に動作が進行する対象物を、撮像装置で一定時間ごとに間欠的に撮像して画像信号を記録媒体に記録したとき、この記録された画像信号を再生すれば、この対象物の動作遷移を早回しで見ることが可能となる。また、所定のフレームレートよりも高いフレームレートで撮像を行うことにより得られた画像信号を間欠的に記録すれば、記録された画像信号を所定のフレームレートで再生したときには、被写体の動きが速くスピード感の高い画像提示を行うことができる。
【０００４】
【特許文献１】特開２００３−９０５８号公報
【特許文献２】特開２００６−２９５８４９号公報
【発明の開示】
【発明が解決しようとする課題】
【０００５】
ところで、間欠画像を実時間画像に変換する場合、欠落画像の挿入作業を行わなければならない。例えば、図１２の（Ｂ）に示すように記録されている画像信号ＤＶbを、実時間画像の画像信号すなわち時間Ｔa分の画像信号に変換する場合、図１２の（Ｃ）に示すように、各フレームの画像信号を繰り返し挿入して画像信号ＤＶcを生成しなければならない。したがって、間欠画像を実時間画像に変換する作業は時間を要することから、この変換作業は収録後に行われている。
【０００６】
しかし、収録後に変換作業を行うものとすると、変換作業を行うことにより得られた画像が監修者等の意図または演出に沿わない場合、収録をやり直してから編集を行わなければならなくなってしまう。また、収録と編集を行う場所が離れている場合は、移動日数や経費が生じるためコストアップとなってしまう。
【０００７】
そこで、発明では、間欠画像を実時間画像に変換して記録できる画像記録装置と画像記録方法を提供するものである。
【課題を解決するための手段】
【０００８】
この発明の概念は、間欠画像おいて欠落したフレームの画像を自動的に挿入して実時間画像として記録することにある。間欠画像を記録する場合、動画像と該動画像のフレームが有効フレームであるか無効フレームであるかを示すフレーム識別情報を用いる。フレーム識別情報は、間欠画像のフレームであるとき有効フレームであることを示し、間欠画像のフレームでないとき無効フレームであることを示すものである。動画像を記録するとき、フレーム識別情報によって有効フレームであることが示された画像を一時保管メモリに記憶するとともに、この画像を記録媒体に記録する。また、フレーム識別情報によって無効フレームであることが示されたとき、一時保管メモリに記憶されている有効フレームの画像を記録媒体に記録するものである。
【０００９】
この発明では、例えば動画像の画像信号から記録媒体に記録する記録信号が生成される。フレーム識別情報によって有効フレームであることが示されたとき、有効フレームの画像の画像信号から生成した記録信号が一時保管メモリに記憶されるとともに、この記録信号が記録媒体に記録される。フレーム識別情報によって無効フレームであることが示されたときは、一時保管メモリに記憶されている記録信号が記録媒体に記録される。
【発明の効果】
【００１０】
この発明によれば、フレーム識別情報によって有効フレームであることが示された画像が一時保管されるとともに、この画像が記録媒体に記録される。記録する画像が無効フレームの画像であるときは、一時保管されている有効フレームの画像が記録される。このため、間欠画像を実時間画像に変換するために有効フレームの画像を挿入する作業が不要となり、間欠画像を実時間画像に自動的に変換して記録できる。
【発明を実施するための最良の形態】
【００１１】
以下、図を参照しながら、この発明の実施の一形態について説明する。間欠画像の画像信号の生成では、例えば２つの方法が用いられる。図１は、間欠画像としてコマ落とし画像を生成する場合を示している。また、図２は、間欠画像としてスローシャッター画像を生成する場合を示している。
【００１２】
間欠画像の画像信号を生成する間欠画像生成装置では、実時間画像を取り込み、図１および図２の（Ａ）に示すように、時間的に連続するフレームの画像信号ＤＶを生成する。ここで、間欠画像としてコマ落とし画像を生成する場合、間欠画像のフレームレートに応じてフレーム間引きを行い、図１の（Ｂ）に示す間引き後の画像信号を間欠画像の画像信号ＤＶiとする。例えば画像信号ＤＶが「６０Ｐ（プログレッシブ走査方式で６０フレーム／秒であることを示す）」であるとき、間欠画像のフレームレートを「２０Ｐ」とする場合、１フレームの画像を抽出したのち２フレームの画像を間引く処理を繰り返してフレーム「０ｆ」「３ｆ」・・・の画像信号を抽出することで、実時間画像が「２０Ｐ」で含まれた「６０Ｐ」の画像信号ＤＶiを生成できる。なお、このようにして生成した画像信号ＤＶiに基づいて間欠画像表示を行う場合、フレーム間引きが行われているので、被写体の動きがコマ送りのように表示されることとなる。
【００１３】
間欠画像としてスローシャッター画像を生成する場合、図２の（Ｂ）に示すように、間欠画像のフレームレートに応じたフレーム数のフレーム加算を行い、図２の（Ｃ）に示すように、フレーム加算後の画像信号を間欠画像の画像信号ＤＶiとする。例えば画像信号ＤＶが「６０Ｐ」であるとき、間欠画像のフレームレートを「２０Ｐ」とする場合、３フレームの画像信号を加算して１／３倍する処理を繰り返す。すなわち、フレーム「０ｆ」〜「２ｆ」の画像信号を加算して１／３倍とし、次に、フレーム「３ｆ」〜「５ｆ」の画像信号を加算して１／３倍とする。以下同様の処理を行うことで、実時間画像が「２０Ｐ」で含まれた「６０Ｐ」の画像信号ＤＶiを生成できる。なお、このようにして生成した画像信号ＤＶiに基づいて間欠画像表示を行う場合、フレーム加算が行われているので、被写体は動きぼけを生じたように表示されることとなる。
【００１４】
また、画像信号ＤＶiにおいて間欠画像のフレームを識別可能とするフレーム識別情報ＪＡを設ける。例えば、図１の（Ｃ）や図２の（Ｄ）に示すように、間欠画像のフレームであるときは「有効」、間欠画像のフレームでないときは「無効」であることを示すフレーム識別情報を設ける。このフレーム識別情報ＪＡは、画像信号のブランキング期間に埋め込むものとしてもよく、画像信号を伝送する信号線とは別個の信号線で伝送するものとしてもよい。
【００１５】
次に、間欠画像の画像信号を記録する画像記録装置について説明する。図３は画像記録装置の構成を示している。
【００１６】
画像記録装置１０において、画像入力部１１は、間欠画像の画像信号ＤＶiとフレーム識別情報ＪＡを同期した状態で記録信号生成部１２に供給する。また、画像入力部１１は、種々のフォーマットで画像信号ＤＶiやフレーム識別情報ＪＡの供給が行われても、記録信号生成部１２に画像信号ＤＶiとフレーム識別情報ＪＡを供給できるように処理する。
【００１７】
記録信号生成部１２は画像信号ＤＶiに基づいて記録信号ＷＳaを生成する。例えば、記録信号生成部１２は、画像信号ＤＶiの圧縮処理や変調処理および誤り訂正符号の付加処理等を行い、記録信号ＷＳaを生成して一時保管メモリ（バッファメモリ）１３に供給する。また、記録信号生成部１２は、画像入力部１１から供給されたフレーム識別情報ＪＡを記録信号ＷＳaに同期させてメモリ制御部１４に供給する。
【００１８】
一時保管メモリ１３は、記録信号生成部１２から供給された記録信号ＷＳaを一時保管するためのものである。一時保管メモリ１３は、メモリ制御部１４から供給されたメモリ制御信号ＣＴmに基づき、記録信号ＷＳaの書き込みや書き込まれている記録信号ＷＳaの読み出しを行う。この一時保管メモリ１３から読み出された記録信号ＷＳbは、記録再生部１５に供給される。
【００１９】
メモリ制御部１４は、後述する記録再生制御部１８から供給された記録再生制御信号ＣＴrwによって記録指示がなされたとき、フレーム識別情報ＪＡに基づいてメモリ制御信号ＣＴmの生成を行い、生成したメモリ制御信号ＣＴmを一時保管メモリ１３に供給する。このメモリ制御信号ＣＴmを一時保管メモリ１３に供給することで、メモリ制御部１４は、フレーム識別情報ＪＡが間欠画像のフレームであることすなわち有効フレームであることを示しているとき、記録信号ＷＳaを一時保管メモリ１３に記憶させるとともに、この記憶された信号を読み出して記録信号ＷＳbとして記録再生部１５に供給させる。
【００２０】
またメモリ制御部１４は、フレーム識別情報ＪＡが間欠画像のフレームでないことすなわち無効フレームであることを示しているとき、一時保管メモリ１３に記憶されている信号を読み出して記録信号ＷＳbとして記録再生部１５に供給させる。
【００２１】
記録再生部１５は、記録再生制御部１８から供給された記録再生制御信号ＣＴrwによって記録指示がなされたとき、一時保管メモリ１３から読み出された記録信号ＷＳbを順次記録媒体、例えば磁気テープや磁気ディスク、光ディスク、半導体メモリ等に記録する。また、記録再生制御部１８から供給された記録再生制御信号ＣＴrwによって再生指示がなされたとき、記録媒体に記録されている信号の読み出しを行い、得られた再生信号ＲＳを再生信号処理部１７に供給する。ここで、記録媒体として磁気テープや磁気ディスクまたは光ディスクが用いられる場合には、記録媒体を駆動するための記録媒体駆動部１６が設けられる。
【００２２】
再生信号処理部１７は、記録再生部１５から供給された再生信号ＲＳに対して誤り訂正処理や復調処理および伸長処理を行い、得られた画像信号ＤＶpを出力する。なお、再生信号処理部１７は、画像信号ＤＶpを所望のフォーマットの信号として出力する処理も行う。
【００２３】
記録再生制御部１８にはユーザインタフェース部１９が接続されている。このユーザインタフェース部１９を介して、ユーザ操作に応じた操作信号ＰＳが供給されたとき、記録再生制御部１８は、この操作信号ＰＳに基づいて記録再生制御信号ＣＴrwを生成して各部に供給することで、画像記録装置１０の動作がユーザの操作に応じた動作となるように制御する。
【００２４】
次に、画像記録装置の動作について説明する。図４は、動画像の記録動作を示している。なお、図４では、図１に示すコマ落とし画像の画像信号ＤＶiを用いて動画像の記録を行う場合を示している。
【００２５】
図４の（Ｂ）は画像信号ＤＶi、図４の（Ａ）はフレーム識別情報ＪＡを示している。また、図４の（Ｃ）は一時保管メモリ１３の記憶状態、図４の（Ｄ）は記録再生部１５に供給された記録信号ＷＳb、図４の（Ｅ）は記録媒体の信号記録状態を示している。
【００２６】
記録信号生成部１２では、画像信号ＤＶiに基づいて記録信号ＷＳaを生成して一時保管メモリ１３に供給する。一時保管メモリ１３は、メモリ制御信号ＣＴmに基づき、フレーム識別情報ＪＡが有効フレームであることを示しているときの記録信号ＷＳaを記憶する。したがって、一時保管メモリ１３には、フレーム「０ｆ」の画像を示す信号が記憶される。また、一時保管メモリ１３は、メモリ制御信号ＣＴmに基づき、記憶したフレーム「０ｆ」の画像を示す信号を読み出して記録再生部１５に供給する。このため、記録媒体の例えばアドレス「Ａd0」にフレーム「０ｆ」の画像を示す信号が記録される。
【００２７】
次に、一時保管メモリ１３は、メモリ制御信号ＣＴmに基づき、フレーム識別情報ＪＡが無効フレームであることを示しているとき、記憶している信号を読み出して記録信号ＷＳbとして記録再生部１５に供給する。このため、フレーム「０ｆ」に続く２フレームでは、フレーム識別情報ＪＡが無効フレームであることを示していることから、一時保管メモリ１３に記憶されているフレーム「０ｆ」の画像を示す信号が記録再生部１５に供給される。したがって、記録媒体のアドレス「Ａd1」「Ａd2」にフレーム「０ｆ」の画像を示す信号が記録される。
【００２８】
フレーム「３ｆ」の画像を記録する場合、フレーム識別情報ＪＡが有効フレームであることを示していることから、一時保管メモリ１３に記憶されている信号は、フレーム「０ｆ」の画像を示す信号からフレーム「３ｆ」の画像を示す信号に書き換えられる。また、フレーム「３ｆ」に続く２フレームでは、フレーム識別情報ＪＡが無効フレームであることを示している。したがって、記録再生部１５には、フレーム「０ｆ」の画像を示す信号が３フレーム期間繰り返し供給されることとなり、記録媒体のアドレス「Ａd3」「Ａd4」「Ａd5」にフレーム「３ｆ」の画像を示す信号が記録される。
【００２９】
以下同様に記録動作が行われて、記録媒体には、フレーム「０ｆ」「３ｆ」「６ｆ」・・・の画像を示す信号が、間欠画像のフレームレートに応じて繰り返し記録される。したがって、間欠画像に画像を挿入して実時間画像に変換する編集作業を行わなくとも、実時間画像に変換する編集作業後の信号を自動的に記録媒体に記録することができる。
【００３０】
次に、記録媒体に記録されている動画像の再生動作について図５を用いて説明する。なお図５の（Ａ）は記録媒体における信号記録状態、図５の（Ｂ）は再生信号処理部１７に供給される再生信号ＲＳ、図３の（Ｃ）は再生信号処理部１７から出力される画像信号ＤＶpを示している。
【００３１】
記録再生部１５は、記録媒体の例えばアドレスＡd0から記録されている信号の読み出しを行い、得られた再生信号ＲＳを再生信号処理部１７に供給する。このため、再生信号処理部１７には、フレーム「０ｆ」の画像を示す信号が３フレーム分供給されたのち、フレーム「３ｆ」の画像を示す信号が３フレーム分供給される。以下同様に、フレーム「６ｆ」「９ｆ」・・・の画像を示す信号が、それぞれ連続して３フレーム分順次供給される。
【００３２】
また、再生信号処理部１７は、再生信号ＲＳに対して誤り訂正処理や変調処理および伸長処理を行い、得られた画像信号ＤＶpを出力する。したがって、画像信号ＤＶpに基づく表示画像は、フレーム「０ｆ」「３ｆ」「６ｆ」・・・の画像がそれぞれ連続して３フレーム分順次表示されることになる。
【００３３】
なお、上述の実施の形態では、一時保管メモリ１３から読み出した信号を有効フレームと無効フレームの信号として記録再生部１５に供給するものとしているが、一時保管メモリ１３に記憶させる有効フレームの信号を記録再生部１５に供給するものとしてもよい。この場合、一時保管メモリ１３に書き込んだ信号を直ちに読み出す処理を行わなくとも、遅延を生じることなく画像の記録を行うことができる。
【００３４】
また、上述の実施の形態では、記録信号生成部１２で圧縮処理を行うことにより得られた信号を一時保管メモリ１３に記憶している。このため、例えば画像信号ＤＶiにおいて有効フレームとされている信号を一時保管メモリに記憶させて、この記憶されている信号を記録信号生成部１２に供給する場合に比べて、一時保管メモリ１３のメモリ容量を少なくできる。
【００３５】
さらに、動画像の記録処理はソフトウェアで行うものとしてもよい。図６は、動画像の記録処理をソフトウェアで行う場合の構成を示している。
【００３６】
画像記録装置２０において、バス２１には、上述の画像入力部１１と同様な処理を行う画像入力部２２、画像を記憶する一時保管メモリ２３、動画像が記録される記録媒体２４、ユーザの所望するフォーマットで動画像の画像信号を出力する画像出力部２５、動画像の記録や再生を行うためのプログラムや種々の情報等が記憶されたメモリ部２６、ユーザ操作に応じた操作信号を生成するユーザインタフェース部２７、メモリ部２６に記憶されているプログラムを実行して、ユーザインタフェース部２７で生成された操作信号等に基づき動画像の記録や再生の制御を行う制御部２８が接続されている。なお、動画像を記録媒体に記録したり記録された動画像を再生するプログラムば、通信回線や着脱可能な記録媒体を介して画像記録装置に供給できるようにしてもよい。
【００３７】
画像入力部２２は、動画像の画像信号ＤＶiとフレーム識別情報ＪＡを、バス２１を介して制御部２８に供給する。制御部２８は、ユーザインタフェース部２７からの操作信号によって動画像記録操作が行われたことを判別したとき、記録媒体２４に動画像を記録する処理を行う。
【００３８】
図７は動画像の記録処理を示すフローチャートである。ステップＳＴ１で制御部２８は、記録する動画像のフレームが有効フレームであるか否かを判別する。ここで、フレーム識別情報ＪＡが有効フレームであることを示しているときはステップＳＴ２に進み、無効フレームであることを示しているときはステップＳＴ３に進む。
【００３９】
ステップＳＴ２で制御部２８は、有効フレームの画像を一時保管メモリ２３に記憶する処理と有効フレームの画像を記録媒体２４に記録する処理を行ってステップＳＴ１に戻る。また、一時保管メモリ２３に画像が記憶されているときは、新たな画像に書き換える。
【００４０】
フレーム識別情報ＪＡが無効フレームであることを示してステップＳＴ１からステップＳＴ３に進むと、制御部２８は一時保管メモリ２３に記憶されている画像を読み出して記録媒体２４に記録してステップＳＴ１に戻る。このため、記録媒体２４には図４の（Ｅ））に示すように画像を記録することができる。
【００４１】
なお、制御部２８は、ユーザインタフェース部２７からの操作信号によって動画像再生操作が行われたことを判別したとき、記録媒体２４に記録されている画像を読み出して画像出力部２５に供給して、所望するフォーマットの画像信号として出力する。
【００４２】
ところで、フレーム識別情報ＪＡが無効フレームであることを示している場合、一時保管メモリ１３に記憶されている信号を読み出して記録媒体に記録する処理が行われるが、一時保管メモリ１３に対する記録信号ＷＳaの書き込みは停止されている。すなわち、フレーム識別情報ＪＡが無効フレームであることを示している場合、画像入力部１１や記録信号生成部１２の動作は、動画像の記録動作に影響を与えない。したがって、画像入力部１１や記録信号生成部１２は、フレーム識別情報ＪＡが無効フレームであることを示しているとき、動作の制限や信号処理の負荷が軽減するように動作を切り替えることで消費電力を削減することが可能となる。
【００４３】
この動作の制限として、例えば画像入力部１１では、画像信号ＤＶiを記録信号生成部１２に供給する信号処理回路に対して電力供給やクロック信号の供給を行わないものとして動作を停止させる。また、記録信号生成部１２では、画像信号ＤＶiに基づいて記録信号ＷＳaを生成する信号処理回路に対して電力供給やクロック信号の供給を行わないものとして動作を停止させる。さらに、信号処理の負荷が軽減するように動作を切り替えるため、画像入力部１１や記録信号生成部１２において、例えば処理が容易な画像を用いるようにする。
【００４４】
図８は、フレーム識別情報ＪＡが無効フレームであることを示すとき動作の制限を行う場合の画像入力部と記録信号生成部の構成を示している。
【００４５】
画像入力部１１aにおいて、信号処理回路１１１は、種々のフォーマットで画像信号ＤＶiの供給が行われても、記録信号生成部１２に画像信号ＤＶiを供給できるように処理する。信号処理回路１１１には、スイッチ１１２を介して電力ＰＷの供給が行われる。
【００４６】
フレーム識別情報処理回路１１３は、種々のフォーマットでフレーム識別情報ＪＡの供給が行われても、記録信号生成部１２にフレーム識別情報ＪＡを供給できるように処理する。また、フレーム識別情報処理回路１１３は、フレーム識別情報ＪＡに基づいた切替信号ＳＣaの生成を行い、生成した切替信号ＳＣaをスイッチ１１２に供給して、フレーム識別情報ＪＡが有効フレームであることを示しているときは、スイッチ１１２をオン状態として信号処理回路１１１に対する電力ＰＷの供給を行い、 フレーム識別情報ＪＡが無効フレームであることを示しているときは、スイッチ１１２をオフ状態として信号処理回路１１１に対する電力ＰＷの供給を停止する。
【００４７】
記録信号生成部１２aにおいて、信号処理回路１２１は、画像信号ＤＶiを用いて記録信号ＷＳaの生成を行い、生成した記録信号ＷＳaを一時保管メモリ１３に供給する。この信号処理回路１２１には、スイッチ１２２を介して電力供給が行われる。
【００４８】
無効フレーム検出回路１２３は、フレーム識別情報ＪＡに基づいた切替信号ＳＣbの生成を行い、生成した切替信号ＳＣbをスイッチ１２２に供給して、フレーム識別情報ＪＡが有効フレームであることを示しているときは、スイッチ１２２をオン状態として信号処理回路１２１に対する電力ＰＷの供給を行い、 フレーム識別情報ＪＡが無効フレームであることを示しているときは、スイッチ１２２をオフ状態として信号処理回路１２１に対する電力ＰＷの供給を停止する。
【００４９】
図９は、フレーム識別情報とスイッチの動作状態を示している。フレーム識別情報ＪＡが有効フレームであることを示しているとき、切替信号ＳＣa，ＳＣbによってスイッチ１１２，１２２がオン状態とされて、信号処理回路１１１，１２１に電力供給が行われる。このため、フレーム識別情報ＪＡが有効フレームであることを示しているときの画像信号に基づいた記録信号ＷＳaを生成して、一時保管メモリ１３に供給することができる。また、フレーム識別情報ＪＡが無効フレームであることを示しているとき、切替信号ＳＣa，ＳＣbによってスイッチ１１２，１２２がオフ状態とされて、信号処理回路１１１，１２１に対する電力供給が停止される。したがって、画像記録装置の消費電力を削減することができる。
【００５０】
なお、図８では、信号処理回路１１１，１２１への電力供給を制御するものとしたが、クロック信号の供給を制御して、フレーム識別情報ＪＡが無効フレームであることを示しているとき、信号処理回路１１１，１２１に対してクロック信号を供給しないようにして信号処理回路１１１，１２１の動作を停止させることにより消費電力を削減することもできる。
【００５１】
次に、信号処理の負荷が軽減させる場合について説明する。図１０は、信号処理の負荷を軽減させる場合の画像入力部と記録信号生成部の構成を示している。なお、図１０において、図８と対応する部分については同一符号を付し説明は省略する。
【００５２】
画像入力部１１bには、無効フレーム用パターン発生回路１１４が設けられている。無効フレーム用パターン発生回路１１４は、信号処理回路１１１で処理の容易な画像信号を生成する。例えば、所定のフォーマットの画像信号を生成すれば、信号処理回路１１１から画像信号ＤＶiを記録信号生成部１２に供給する際にフォーマット変換等の処理を行う必要がなくなる。この無効フレーム用パターン発生回路１１４で生成された画像信号は、選択スイッチ１１５の一方の端子Ｐaに供給される。また選択スイッチ１１５の他方の端子Ｐbには、外部からの画像信号が供給される。
【００５３】
選択スイッチ１１５の可動端子Ｐcは信号処理回路１１１に接続されており、端子Ｐaに供給された画像信号あるいは端子Ｐbに供給された画像信号の何れかを選択して信号処理回路１１１に供給する。
【００５４】
フレーム識別情報処理回路１１３は、フレーム識別情報ＪＡに基づいた切替信号ＳＣaの生成を行い、生成した切替信号ＳＣaを選択スイッチ１１５に供給して、フレーム識別情報ＪＡが有効フレームであることを示しているときは、端子Ｐbに供給された画像信号を信号処理回路１１１に供給する。また、フレーム識別情報ＪＡが無効フレームであることを示しているときは、端子Ｐaに供給された画像信号を信号処理回路１１１に供給することで、信号処理の負荷が軽減させる。
【００５５】
記録信号生成部１２bには、無効フレーム用パターン発生回路１２４が設けられている。無効フレーム用パターン発生回路１２４は、信号処理回路１２１で処理の容易な画像信号を生成する。例えば、信号処理回路１２１で圧縮等を行う場合、絵柄の変化が激しい画像は乏しい画像に比べて信号処理の負荷が大きくなる。したがって、絵柄の変化の少ない画像信号を生成する。この無効フレーム用パターン発生回路１２４で生成された画像信号は、選択スイッチ１２５の一方の端子Ｐaに供給される。また選択スイッチ１２５の他方の端子Ｐbには、画像入力部１１bからの画像信号が供給される。
【００５６】
選択スイッチ１２５の可動端子Ｐcは信号処理回路１２１に接続されており、端子Ｐaに供給された画像信号あるいは端子Ｐbに供給された画像信号の何れかを選択して信号処理回路１２１に供給する。
【００５７】
無効フレーム検出回路１２３は、フレーム識別情報ＪＡに基づいた切替信号ＳＣbの生成を行い、生成した切替信号ＳＣbを選択スイッチ１２５に供給して、フレーム識別情報ＪＡが有効フレームであることを示しているときは、端子Ｐbに供給された画像信号を信号処理回路１２１に供給する。また、フレーム識別情報ＪＡが無効フレームであることを示しているときは、端子Ｐaに供給された画像信号を信号処理回路１２１に供給することで、信号処理の負荷が軽減させる。
【００５８】
なお、図１０では、画像入力部１１bと記録信号生成部１２bに無効フレーム用パターン発生回路１１４，１２４を設けるものとしたが、何れか一方にのみ無効フレーム用パターン発生回路を設ける構成としてもよい。また、画像入力部１１bにのみ無効フレーム用パターン発生回路１１４を設ける場合、無効フレーム用パターン発生回路１１４では、信号処理回路１１１で処理を容易とするだけでなく、絵柄の変化の少ない画像信号を生成すれば、無効フレーム用パターン発生回路１２４で生成された画像信号と同等の画像信号を信号処理回路１２１に供給することが可能となり、無効フレーム用パターン発生回路１１４，１２４を設けた場合と同様な作用効果を得ることができる。
【００５９】
図１１は、フレーム識別情報と画像の選択動作の関係を示している。フレーム識別情報ＪＡが「有効」とされているときは、供給された画像信号が選択される。このため、フレーム識別情報が「有効」とされているフレームの画像信号に基づいた記録信号を生成して、一時保管メモリ１３に供給することができる。また、フレーム識別情報が「無効」とされている期間は、無効フレーム用パターン発生回路で生成された画像信号が選択されることから信号処理の負荷が軽くなり、消費電力を削減することができる。
【００６０】
フレーム識別情報ＪＡが有効フレームであることを示しているとき、切替信号ＳＣaによって選択スイッチ１１５が制御されて、外部からの画像信号が信号処理回路１１１に供給される。また、切替信号ＳＣbによって選択スイッチ１２５が制御されて、画像入力部１１bからの画像信号が信号処理回路１２１に供給される。このため、フレーム識別情報ＪＡが有効フレームであることを示しているときの画像信号に基づいた記録信号ＷＳaを生成して、一時保管メモリ１３に供給することができる。また、フレーム識別情報ＪＡが無効フレームであることを示しているとき、切替信号ＳＣaによって選択スイッチ１１５が制御されて、無効フレーム用パターン発生回路１１４で生成された画像信号が信号処理回路１１１に供給される。また、切替信号ＳＣbによって選択スイッチ１２５が制御されて、無効フレーム用パターン発生回路１２４で生成された画像信号が信号処理回路１２１に供給される。このため、信号処理回路１１１，１２１における信号処理の負荷が軽減されて、画像記録装置の消費電力を削減することができる。
【図面の簡単な説明】
【００６１】
【図１】間欠画像としてコマ落とし画像を用いた場合を示す図である。
【図２】間欠画像としてスローシャッター画像を用いた場合を示す図である。
【図３】画像記録装置の構成を示す図である。
【図４】動画像の記録動作を示す図である。
【図５】記録されている動画像の再生動作を示す図である。
【図６】動画像の記録処理をソフトウェアで行う場合の構成を示す図である。
【図７】動画像の記録処理を示すフローチャートである。
【図８】動作の制限を行う場合の画像入力部と記録信号生成部の構成を示す図である。
【図９】フレーム識別情報とスイッチの動作状態の関係を示す図である。
【図１０】信号処理の負荷を軽減させる場合の画像入力部と記録信号生成部の構成を示す図である。
【図１１】フレーム識別情報と選択スイッチの動作状態の関係を示す図である。
【図１２】従来の間欠画像の記録動作を説明するための図である。
【符号の説明】
【００６２】
１０，２０・・・画像記録装置、１１，１１a，１１b，２２・・・画像入力部、１２，１２a，１２b・・・記録信号生成部、１３，２３・・・一時保管メモリ、１４・・・メモリ制御部、１５・・・ 記録再生部、１６・・・記録媒体駆動部、１７・・・再生信号処理部、１８・・・記録再生制御部、１９，２７・・・ユーザインタフェース部、２１・・・バス、２４・・・記録媒体、２５・・・画像出力部、２６・・・メモリ部、２８・・・制御部、１１１，１２１・・・信号処理回路、１１２，１２２・・・スイッチ、１１３・・・フレーム識別情報処理回路、１１４，１２４・・・無効フレーム用パターン発生回路、１１５，１２５・・・選択スイッチ、１２３・・・無効フレーム検出回路
【図１】
2008193208.tif 000003
【図２】
2008193208.tif 000004
【図３】
2008193208.tif 000005
【図４】
2008193208.tif 000006
【図５】
2008193208.tif 000007
【図６】
2008193208.tif 000008
【図７】
2008193208.tif 000009
【図８】
2008193208.tif 000010
【図９】
2008193208.tif 000011
【図１０】
2008193208.tif 000012
【図１１】
2008193208.tif 000013
【図１２】
2008193208.tif 000014